(57)【要約】【課題】あらゆる種類の戸パネルに対して開き戸付属装置の戸パネル側部材を取着でき、一旦取り付けた開き戸付属装置の機能が阻害されるのを防止することができる戸パネル側部材用の取付具を提供する。【解決手段】開き戸を構成する戸パネルＤに、開き戸付属装置Ａの一部であり、上下方向に延びる左右一組のネジ係合長孔ｈが設けられた板状の取付基部ｋを有する戸パネル側部材ａを取り付ける際に使用する取付具１０であって、前記戸パネルＤの表面に取着される表面プレート１２と、前記表面プレート１２の高さ方向一端側に連設され前記戸パネルＤの端面に取着される端面プレート１４と、前記表面プレート１２の表面に設けられ、前記戸パネル側部材ａを固定する固定部１６と、前記表面プレート１２の固定部１６を左右から挟むように突設され、前記固定部１６に固定された戸パネル側部材ａの回動を阻止する一組のガイド凸部１８とを具備することを特徴とする。【選択図】図１
2010281074.tif 000002
【特許請求の範囲】
【請求項１】
開き戸を構成する戸パネルの表面に取り付けられる戸パネル側部材と、戸パネル側部材に係合して戸パネルを開口部に対して静止状態に保つ本体部材とで構成された開き戸付属装置の戸パネル側部材で、少なくとも一対のネジ係合長孔が設けられた板状の取付基部を有する戸パネル側部材ａを戸パネルに取り付ける際に使用する取付具であって、
(1)  前記戸パネルの表面に取着される表面プレートと、
(2)  前記表面プレートの高さ方向一端側に連設され前記戸パネルの端面に取着される端面プレートと、
(3)  前記表面プレートの表面に設けられ、前記取付基部に設けられたネジ係合長孔に係合するネジが捻じ込まれて前記戸パネル側部材を前記表面プレートの表面に固定する固定部と、
(4)  前記表面プレート表面に前記ネジ係合長孔の長軸方向に沿い、前記取付基部を両側から挟むように突設されたガイド凸部とを具備することを特徴とする
(5)  開き戸付属装置の戸パネル側部材用の取付具。
【請求項２】
開き戸を構成する戸パネルの表面に取り付けられる戸パネル側部材と、戸パネル側部材に係合して戸パネルを開口部に対して静止状態に保つ本体部材とで構成された開き戸付属装置の戸パネル側部材で、少なくとも一対のネジ係合長孔が設けられた板状の取付基部を有すると共に、該取付基部の背面に位置決め用の突起が形成された戸パネル側部材を取り付ける際に使用する取付具であって、
(1)  前記戸パネルの表面に取着される表面プレートと、
(2)  前記表面プレートの高さ方向一端側に連設され前記戸パネルの端面に取着される端面プレートと、
(3)  前記表面プレートの表面に設けられ、前記取付基部に設けられたネジ係合長孔に係合するネジが捻じ込まれて前記戸パネル側部材を表面プレートの表面に固定する固定部と、
(4)  前記表面プレート表面に前記ネジ係合長孔の長軸方向に沿って長孔状に凹設され、前記表面プレート表面に固定された前記戸パネル側部材の突起が嵌まり込むガイド凹部とを具備することを特徴とする
(5)  開き戸付属装置の戸パネル側部材用の取付具。
【請求項３】
請求項１又は２に記載の開き戸付属装置の戸パネル側部材用の取付具において、
突起、又は、戸パネル側部材の表面プレート表面への取り付け状態におけるガイド凸部がネジ係合長孔の長軸方向に沿って凸畝状に形成されていることを特徴とする開き戸付属装置の戸パネル側部材用の取付具。
【請求項４】
前記端面プレートに戸パネルへの固定用のネジ孔が穿設されていることを特徴とする請求項１〜３の何れかに記載の開き戸付属装置の戸パネル側部材用の取付具。
【請求項５】
前記端面プレートの幅が前記戸パネル端面の幅よりも大きく形成され、且つ前記端面プレートの先端部に前記表面プレートと略平行する背面プレートが設けられると共に、
前記背面プレートの内面側には、前記表面プレート側に向けて進退し、前記表面プレートが捻じ込まれて前記戸パネルを挟持する固定用プレートが取り付けられていることを特徴とする請求項１〜４の何れかに記載の開き戸付属装置の戸パネル側部材用の取付具。
【発明の詳細な説明】
【技術分野】
【０００１】
本発明は、開き戸に、開き戸ダンパーやマグネット式ドアストッパー等のような開き戸付属装置を取り付ける際に使用する取付具に関し、特に、戸パネル側に戸パネル側部材を取り付ける際に使用する取付具に関する。
【背景技術】
【０００２】
住宅等の建物の開口部に設けられる開き戸には、開き戸の機能性や安全性を向上させるために様々な開き戸付属装置が取り付けられている。これら開き戸付属装置の例を挙げると、図６に示すような開き戸ダンパーＡ１（例えば、非特許文献１参照）や、図７に示すようなマグネット式ドアストッパーＡ２（例えば、特許文献１参照）などが挙げられる。
【０００３】
このうち開き戸ダンパーＡ１は、ピン部３を有し、戸パネルＤの表面上端部に取り付けられる戸パネル側部材ａ１と、開口部Ｏを区画する枠体Ｗの上部に取り付けられ、戸パネルＤが閉まる際、前記ピン部３に係合する凹部４を備えたアーム部５を有する本体部材ｂ１とで構成されており、アーム部５の凹部４にピン部３が係合した後、戸パネルＤが閉じる方向にアーム部５がゆっくりと回動することで、戸パネルＤが勢いよく閉まるのを防止すると共に、開き戸を確実に閉めるようにするためのものである（図６参照）。
【０００４】
ここで、戸パネル側部材ａ１について更に詳しく説明すると、戸パネル側部材ａ１は、上下方向に延びる左右一組のネジ係合長孔ｈが設けられた板状の取付基部ｋを有しており、この取付基部ｋにおける表面の幅方向中央には、先端にピン部３が形成された突出部ｔが設けられている(図５参照)。なお、このような取付基部ｋを有する構造は、次に述べるマグネット式ドアストッパーＡ２の戸パネル側部材ａ２でも同様である(図７参照)。
【０００５】
一方、マグネット式ドアストッパーＡ２は、床面Ｆに固定され、台座７及びこの台座７に起倒自在に取り付けられた磁性体からなるプレート８を備えた本体部材ｂ２と、戸パネルＤの表面下端部に取り付けられ、磁石の力により前記プレート８を引寄せて係合するストッパー９を有する戸パネル側部材ａ２とで構成されており、戸パネルＤを全開した際に、本体部材ｂ２のプレート８と戸パネル側部材ａ２のストッパー９とが係合することにより、戸パネルＤを開放状態にしておくためのものである（図７参照）。
【０００６】
なお、以下の説明では、アルファベットを用いた符号に関し、各部位を区別せず上位概念で示す場合には、アラビア数字の枝番をつけずアルファベットのみで表示する。
【０００７】
このように、開き戸ダンパーＡ１やマグネット式ドアストッパーＡ２等のような開き戸付属装置Ａは、一方の部材(すなわち戸パネル側部材ａ)を戸パネルＤ表面に取り付け、他方の部材(すなわち本体部材ｂ)を枠体Ｗや床面Ｆなどに取り付け、両部材が互いに関わり合うことで所定の機能を発揮するため、各部材の取付位置精度が非常に重要となっていた。
【先行技術文献】
【特許文献】
【０００８】
【特許文献１】特開平９−１４１７６４号公報
【非特許文献】
【０００９】
【非特許文献１】大建工業株式会社，カタログ「ＤＡＩＫＥＮ２００９  Ｒシリーズ  ドア・収納・造作部材・階段」，２００８年１０月，ｐ．３２９
【発明の概要】
【発明が解決しようとする課題】
【００１０】
しかしながら、従来の開き戸付属装置Ａでは、戸パネル側部材ａを戸パネルＤに取り付ける際に、ネジＳを用いて戸パネルＤ表面に直接固定するようにしていたので、一般に室内の開き戸用の戸パネルＤとして多く使用されている、枠材の表裏両面に面材を貼着したフラッシュ構造の戸パネルＤの表面に取り付けようとした場合、戸パネルＤの内部に枠体がある部分にしか戸パネル側部材ａを取り付けることができず、このような戸パネル側部材ａを取り付けることのできる戸パネルＤが限られていたと云う問題があった。
【００１１】
また、戸パネル側部材ａを戸パネルＤの表面にネジ止めする際にネジＳと係合する戸パネル側部材ａの左右一組のネジ係合長孔ｈ(図７)は、ネジ止めする際に高さ方向の調整ができるよう(上述したように)上下方向に延ばされた長孔にて形成されているのが一般的であるが、繰り返しの使用等により戸パネル側部材ａを止めているネジＳが緩み、使用時にこの戸パネル側部材ａに与えられる応力によって戸パネル側部材ａがぐらぐらして、その取付位置が本来の位置から斜めにずれてしまい、開き戸付属装置Ａが所定の機能(例えば、開き戸ダンパーＡ１の場合にはダンパー機能であり、マグネット式ドアストッパーＡ２の場合には、全開ドア保持機能)を発揮できなくなると云う問題もあった。
【００１２】
それゆえに、本発明の主たる課題は、あらゆる種類の戸パネルに対して開き戸付属装置の戸パネル側部材を取着できるようにすると共に、一旦取り付けた戸パネル側部材が斜めにずれて開き戸付属装置の機能が阻害されるのを防止することができる開き戸付属装置の戸パネル側部材用の取付具を提供することである。
【課題を解決するための手段】
【００１３】
請求項１に記載した発明は、開き戸を構成する戸パネルＤの表面に取り付けられる戸パネル側部材ａと、戸パネル側部材ａに係合して戸パネルＤを開口部に対して静止状態に保つ本体部材ｂ２とで構成された開き戸付属装置Ａの戸パネル側部材ａで、少なくとも一対のネジ係合長孔ｈが設けられた板状の取付基部ｋを有する戸パネル側部材ａを戸パネルＤに取り付ける際に使用する取付具１０Ａ(１０)であって、
(1)  前記戸パネルＤの表面に取着される表面プレート１２と、
(2)  前記表面プレート１２の高さ方向一端側に連設され前記戸パネルＤの端面に取着される端面プレート１４と、
(3)  前記表面プレート１２の表面に設けられ、前記取付基部ｋに設けられたネジ係合長孔ｈに係合するネジＳが捻じ込まれて前記戸パネル側部材ａを前記表面プレート１２の表面に固定する固定部１６と、
(4)  前記表面プレート１２表面に前記ネジ係合長孔ｈの長軸方向に沿い、前記取付基部ｋを両側から挟むように突設されたガイド凸部１８とを具備することを特徴とする
(5)  開き戸付属装置Ａの戸パネル側部材ａ用の取付具１０Ａ(１０)、である。
【００１４】
また、請求項２に記載した発明は、図５に示すような、開き戸を構成する戸パネルＤの表面に取り付けられる戸パネル側部材ａと、戸パネル側部材ａに係合して戸パネルＤを開口部に対して静止状態に保つ本体部材ｂ２とで構成された開き戸付属装置Ａの戸パネル側部材ａで、少なくとも一対のネジ係合長孔ｈが設けられた板状の取付基部ｋを有すると共に、該取付基部ｋの背面に位置決め用の突起Ｔが形成された戸パネル側部材ａを取り付ける際に使用する取付具１０Ｂ(１０)であって、
(1)  前記戸パネルＤの表面に取着される表面プレート１２と、
(2)  前記表面プレート１２の高さ方向一端側に連設され前記戸パネルＤの端面に取着される端面プレート１４と、
(3)  前記表面プレート１２の表面に設けられ、前記取付基部ｋに設けられたネジ係合長孔ｈに係合するネジＳが捻じ込まれて前記戸パネル側部材ａを表面プレート１２の表面に固定する固定部１６と、
(4)  前記表面プレート１２表面に前記ネジ係合長孔ｈの長軸方向に沿って長孔状に凹設され、前記表面プレート１２表面に固定された前記戸パネル側部材ａの突起Ｔが嵌まり込むガイド凹部４０とを具備することを特徴とする
(5)  開き戸付属装置Ａの戸パネル側部材ａ用の取付具１０Ｂ(１０)、である。
【００１５】
請求項３は、請求項１、２における「ガイド凸部１８」「突起Ｔ」に関し、これらがネジ係合長孔ｈの長軸方向に沿って「凸畝状」に形成されていることを特徴とする。
【００１６】
これらの発明では、取付具１０が、戸パネルＤの表面に取着される表面プレート１２と戸パネルＤの端面に取着される端面プレート１４とで構成され、且つ表面プレート１２に戸パネル側部材ａを固定する固定部１６が設けられているので、例えば、フラッシュ構造で構成された戸パネルＤ表面における内部に枠体がない部分であってもその表面に戸パネル側部材ａを配設することができる。つまり、戸パネルＤに対する戸パネル側部材ａの取付位置の自由度を増大させることができる。
【００１７】
加えて、表面プレート１２表面にガイド凸部１８もしくはガイド凹部４０が設けられているので、固定部１６に対する戸パネル側部材ａの固定が緩んだ際に、これらが障害となって戸パネル側部材ａがぐらぐらして本来の取付位置から斜めにずれにくく、開き戸付属装置Ａが所定の機能を発揮できなくなると云った問題は生じない。特に、「ガイド凸部１８」「突起Ｔ」がネジ係合長孔ｈの長軸方向に沿って「凸畝状」に形成されておれば、これらが取付基部ｋの捩じれを抑制することが出来、戸パネル側部材ａの緩み防止に役立つ。
【００１８】
請求項４に記載した発明は、請求項１〜３の何れかに記載の開き戸付属装置Ａの戸パネル側部材ａ用の取付具１０において、「端面プレート１４に戸パネルＤへの固定用のネジ孔３０が穿設されている」ことを特徴とするもので、これにより、詳しくは後述するが、あらゆる種類の戸パネルＤに対して戸パネルＤの縁部にある枠体と取付具１０とを確実にネジ止めして両者を強固に固定することができるようになる。
【００１９】
請求項５に記載した発明は、請求項１〜４の何れかに記載の開き戸付属装置Ａの戸パネル側部材ａ用の取付具１０において、「端面プレート１４の幅が戸パネルＤ端面の幅よりも大きく形成され、且つ端面プレート１４の先端部に表面プレート１２と略平行する背面プレート３４が設けられると共に、背面プレート３４の内面側には、表面プレート１２側に向けて進退し、表面プレート１２が捻じ込まれて戸パネルＤを挟持する固定用プレート３８が取り付けられている」ことを特徴とするもので、これにより、戸パネルＤに穴を開けることなく該戸パネルＤに対して簡単に取付具１０を着脱させることができるようになる。
【発明の効果】
【００２０】
本発明によれば、あらゆる種類の戸パネルに対して開き戸付属装置の戸パネル側部材を取着できるようにすると共に、一旦取り付けた戸パネル側部材が斜めにずれて開き戸付属装置の機能が阻害されるのを防止することができる開き戸付属装置の戸パネル側部材用の取付具を提供することができる。
【図面の簡単な説明】
【００２１】
【図１】本発明における一実施例(第１実施例)の戸パネル側部材用の取付具の使用状態を示す斜視図である。
【図２】本発明における一実施例(第１実施例)の戸パネル側部材用の取付具を示す図で、（ａ）は正面図、（ｂ）は左側面図、（ｃ）は平面図である。
【図３】本発明における他の実施例(第１実施例の変形例)の戸パネル側部材用の取付具を示す斜視図である。
【図４】本発明における他の実施例(第１実施例の変形例)の戸パネル側部材用の取付具を示す図で、（ａ）は斜視図、（ｂ）は側面図である。
【図５】本発明における他の実施例(第２実施例)の戸パネル側部材用の取付具を示す図で、（ａ）は、係る取付具で取着される戸パネル側部材を含めた斜視図、（ｂ）は係る取付具を用いて取着される戸パネル側部材の側面図、（ｃ）は(ａ)及び(ｂ)におけるＸ矢視図である。
【図６】開き戸付属装置の一例(開き戸ダンパー)の挙動を示す説明図である。
【図７】開き戸付属装置の他の例(マグネット式ドアストッパー)を示す斜視図である。
【発明を実施するための形態】
【００２２】
以下、本発明における開き戸付属装置の戸パネル側部材用の取付具(以下、単に「取付具」とも云う。)を図面に従って詳述する。図１は、本発明の一実施例(第１実施例)の取付具１０Ａ（１０）を、図６に示す開き戸ダンパーＡ１(より詳しくは戸パネル側部材ａ１)の取り付けに使用した際の使用状態を示す斜視図であり、図２は、図１の取付具１０Ａ（１０）を示すもので（ａ）は正面図、（ｂ）は左側面図、（ｃ）は平面図である。これらの図が示すように、本実施例の取付具１０は、大略、表面プレート１２，端面プレート１４、固定部１６及びガイド凸部１８で構成されている。
【００２３】
ここで、本発明の取付具１０を用いて戸パネルＤに取付けられる戸パネル側部材ａは、「背景技術」の欄でも述べた通り、上下方向に延びる左右一組のネジ係合長孔ｈが設けられた板状の取付基部ｋを有しており、この取付基部ｋにおける表面の横幅方向中央には、先端にピン部３(図６参照)或いはストッパー９(図７参照)が形成される突出部ｔが設けられている。なお、ネジ係合長孔ｈは戸パネル側部材をその長軸方向に高さ調整するためのものである。
【００２４】
表面プレート１２は、ステンレスや鉄やアルミニウムなどの金属単体或いは合金で構成された板状の部材で、戸パネルＤの表面、通常は開き側(非蝶着側)のコーナー部分に取着される。
【００２５】
ここで、戸パネルＤを構成する戸板や「背景技術」の欄で述べた枠体Ｗは、挽材、合板、木質繊維板(インシュレーションボード[ＩＢ]，中質繊維板[ＭＤＦ]等)、木削片板(パーティクルボード、ストランドボード、配向性ストランドボード[ＯＳＢ]等)、集成材、単板積層材或いはこれらの任意の複合材が用いられている。なお、これら部材の表・裏面あるいは木口部の一部表面に、化粧紙、化粧樹脂含浸紙、化粧合成樹脂シート、化粧単板等からなる化粧材を貼着してもよく、着色塗装、柄模様印刷、透明塗装等を施したり、化粧材貼善後にその表面に着色塗装や透明塗装を施してもよいことは云うまでもない。
【００２６】
前記表面プレート１２の高さ方向上部には、この表面プレート１２を戸パネルＤ表面にネジ止めするため、ネジ２０が挿通される少なくとも左右一組のネジ挿通孔２２が穿設されており、このネジ挿通孔２２の近傍から表面プレート１２の高さ方向下部に向けて凹溝２４が少なくとも左右一組堀設されている。この凹溝２４は、表面プレート１２を戸パネルＤ表面に取着した際に、表面プレート１２が反って戸パネルＤ表面との間に隙間ができるのを防止するためのものである
【００２７】
一方、表面プレート１２の高さ方向下部には、取付基部ｋのネジ係合長孔ｈに対応して
少なくとも左右一組の雌ネジ孔１６ａが設けられている。この雌ネジ孔１６ａは、戸パネル側部材ａ１の取付基部ｋに設けられ、ネジ係合長孔ｈのそれぞれに挿通させたネジＳ１(Ｓ)を螺着させるためのものである。このため、この雌ネジ孔１６ａが、ネジ係合長孔ｈに挿通させたネジＳ(より具体的には雄ネジ部材Ｓ１)が捻じ込まれて表面プレート１２に戸パネル側部材ａ１を固定する「固定部１６」として機能する。
【００２８】
この各雌ネジ孔１６ａの幅方向内側には、高さ方向に延びる長孔２６が設けられている。この長孔２６は、戸パネル側部材ａ１の背面に設けられ、該戸パネル側部材ａ１を戸パネルＤに直接ネジ止めする際に戸パネルＤの表面に楔着する爪(図示せず)を収容して、戸パネル側部材ａ１の背面が表面プレート１２の表面に隙間なく密着できるようにするためのものである。すなわち、戸パネル側部材ａ１(より詳しくは取付基部ｋ)の背面には、一般的に戸パネルＤの表面に楔着して戸パネル側部材ａ１がぐらぐらしないように固定する爪が設けられているが、金属製の取付具１０を用いて戸パネル側部材ａ１を取り付ける場合、当該爪が邪魔になり、取付具１０の表面プレート１２に対して、高い取付位置精度が要求される戸パネル側部材ａ１を隙間なく密着して取り付けることができなかった。そこで、係る長孔２６を設けることによって上述したように戸パネル側部材ａ１の背面が表面プレート１２の表面に隙間なく密着できるようになり、高い取付位置精度を確保することができる。加えて、長孔２６の長軸方向とネジ係合長孔ｈの長軸方向とが略平行するようにすれば、爪と長孔２６とが協働して取付基部ｋの捩じれを抑制することができ、戸パネル側部材ａの緩み防止に役立つ。
【００２９】
また、この雌ネジ孔１６ａの幅方向外側には、固定部１６すなわち両雌ネジ孔１６ａを左右から挟むように一組のガイド凸部１８が突設されている。この一組のガイド凸部１８は、固定部１６に固定された戸パネル側部材ａ１の幅と略同等の距離だけ離間して設けられており、固定部１６に固定された戸パネル側部材ａ１を左右から挟み込んで当該戸パネル側部材ａ１がぐらぐらするのを阻止するため、及び戸パネル側部材の高さ方向への調整を可能とするためのもので、表面プレート１２を切り起こして形成されており、その形成方向は、前述のように戸パネル側部材ａ１のぐらぐら阻止及び高さ方向調整のためであるから戸パネル側部材ａ１の取り付け状態におけるネジ係合長孔ｈの長軸方向に合わせて凸畝状に形成される。前記長孔２６もこの意味から同様にネジ係合長孔ｈの長軸方向に合わせて凹畝状に形成される。
【００３０】
以上のように各部位が形成された表面プレート１２の高さ方向一端側(図示実施例の場合、上端側)は、略直角に折り曲げられており、これにより、表面プレート１２の高さ方向一端側に、戸パネルＤの端面に取着される端面プレート１４が一体的に連接形成されている。なお、この端面プレート１４を、表面プレート１２とは別体で形成し、表面プレート１２の高さ方向一端側にて互いに略直角となるように突き合わせた後、当該突き合わせ部分を溶接等により接合して形成するようにしてもよい。
【００３１】
この端面プレート１４には、この端面プレート１４を戸パネルＤ端面にネジ止めするためのネジ２８が挿通される左右一組のネジ挿通孔３０が穿設されている。端面プレート１４に穿設するネジ挿通孔３０の態様は図１及び図２に示されたものに限定されるものではなく、ネジ２８を介して端面プレート１４を戸パネルＤ端面に固定できるのであれば如何なるものであってもよい。したがって、例えば、(図示しないが)ネジ挿通孔３０を端面プレート１４に１箇所だけ設けるようにしてもよいし、３箇所以上設けるようにしてもよい。
なお、図７に示すように開き戸付属装置Ａとしてマグネット式ドアストッパーＡ２を取り付ける場合に使用する取付具（図示せず）では、表面プレートの高さ方向下端側に端面プレートが形成されることになる。
【００３２】
次に、本実施例の取付具１０Ａの作用について説明する。本実施例の取付具１０Ａを用いて戸パネルＤに開き戸ダンパーＡ１の戸パネル側部材ａ１を取り付ける際には、先ず初めに、すでに開口部に取り付けられている本体部材ｂ１との位置関係を確認した上で戸パネルＤにおける所定の取り付け位置に取付具１０Ａを配置し、ネジ挿通孔２２、３０を介して戸パネルＤの表面及び端面にネジ２０、２８をねじ込む。これにより、戸パネルＤへの取付具１０Ａの固定が完了する。
【００３３】
ここで、取付具１０Ａが取り付けられる戸パネルＤには、板材を削りだしたベタ芯のものや、枠材の表裏両面に面材を貼着したフラッシュ構造のものなど様々な構造のものがあるが、如何なる構造の戸パネルＤであっても、その端面を構成する縁部には強固な枠材が配置されるようになっている。したがって、特に端面プレート１４に戸パネルＤへの固定用のネジ孔３０が穿設されている本実施例の取付具１０Ａでは、あらゆる種類の戸パネルＤに対して取付具１０Ａを確実にネジ止めすることができるようになる。
【００３４】
続いて、戸パネルＤに固定した取付具１０Ａの雌ネジ孔１６ａ(即ち、固定部１６)の位置に戸パネル側部材ａ１のネジ係合長孔ｈを合わせ、この雌ネジ孔１６ａにネジ係合長孔ｈを挿通させた雄ネジ部材Ｓ１(ネジＳ)を高さ方向の調整を行いながら螺合することにより、取付具１０Ａへの戸パネル側部材ａ１の取り付け、すなわち取付具１０Ａを用いた戸パネルＤへの戸パネル側部材ａ１の取り付けが完了する。
【００３５】
本実施例の取付具１０Ａによれば、固定部１６に固定された戸パネル側部材ａ１のネジの緩みによるぐらぐらを阻止する一組のガイド凸部１８が、固定部１６を左右から挟むようにして表面プレート１２の表面に突設されているので、当該取付具１０Ａを用いて戸パネルＤの表面に戸パネル側部材ａ１を取り付ける際に、戸パネル側部材ａ１の高さ方向の取付位置をこれに沿って移動させることによって調整することができると共に、固定部１６に戸パネル側部材ａ１を固定した後は、戸パネル側部材ａ１のネジの緩みによるぐらぐらを阻止することができる。したがって、繰り返しの使用等により固定部１６に対する戸パネル側部材ａ１の固定が緩んだ際に、戸パネル側部材ａ１が本来の取付位置から上下方向にずれることはあってもぐらぐらして斜めにずれることはない。このように戸パネル側部材ａ１が斜めにずれることがないので、開き戸ダンパーＡ１が目的の機能を発揮できなくなると云った問題は生じない。
【００３６】
なお、上述の実施例では、「固定部１６」の例として雄ネジ部材Ｓ１が螺着する雌ネジ孔１６ａを挙げたが、この「固定部１６」は、ネジＳが捻じ込まれて表面プレート１２の表面に戸パネル側部材ａ１を固定できるものであれば如何なる態様であってもよく、図３に示すように、表面プレート１２の表面に突設された雄ネジ１６ｂを「固定部１６」とし、戸パネル側部材ａ１を固定する際には、この雄ネジ１６ｂを戸パネル側部材ａ１のネジ係合長孔ｈに通した後、その上から雄ネジ１６ｂに、内周面に雌ネジが螺設されたナット３２(このナット３２が「固定部１６」が捻じ込まれて戸パネル側部材ａ１を固定する「ネジＳ」に該当する。)を螺合するようにしてもよい。
【００３７】
また、図１及び図２で示した例では、ガイド凸部１８が固定部１６すなわち両雌ネジ孔１６ａを左右から挟むようにして表面プレート１２の表面上に突出している場合を示しているが、このガイド凸部１８は、固定部１６に取着した戸パネル側部材ａ１の回動を阻止する位置に設けられるものであり、表面プレート１２と戸パネル側部材ａ１との相対的な大きさの関係等によっては、図３に示すように、ガイド凸部１８を表面プレート１２の横幅方向両端部から突設させる場合もあるし、図示しないが、取付基部ｋ背面のネジ係合長孔ｈに挟まれた部分にガイド凸部１８に係合する凹溝が形成されているような場合には、左右一組の固定部１６の内側に設けるようにしてもよい。
【００３８】
さらに、戸パネルＤに対して取付具１０Ａを固定する際には、図４に示すような固定構造を用いるようにしてもよい。すなわち、端面プレート１４の幅を戸パネルＤ端面の幅よりも大きく形成し、端面プレート１４の先端部に表面プレート１２と略平行する背面プレート３４を設ける。この背面プレート３４の内面側には、背面プレート３４に穿設されたネジ挿通孔３４ａに挿通されたネジ３６を回動操作することによって、該ネジ３６が螺着する雌ネジ部３８ａを介して表面プレート１２側に向けて進退し、表面プレート１２が捻じ込まれて戸パネルＤを挟持する固定用プレート３８が取り付けられている。係る固定構造を用いることによって、戸パネルＤに穴を開けることなく該戸パネルＤに対して簡単に取付具１０Ａを着脱させることができるようになる。
【００３９】
次に、図５に示す第２実施例の取付具１０Ｂ（１０）について説明する。上述した第１実施例の取付具１０Ａと異なる部分は、ガイド凸部１８に換えてガイド凹部４０を有する点である。なお、これら以外の部分は前記第１実施例と同じであるので、前記第１実施例の説明を援用して本実施例の説明に代える。
【００４０】
ガイド凹部４０は、表面プレート１２の高さ方向下部に左右一組穿設された雄ネジ孔１６ａの内側に堀設或いは穿設され、戸パネル側部材ａ１を固定部１６に固定した際に、該戸パネル側部材ａ１の背面に設けられた突起Ｔと係合し、戸パネル側部材ａ１の高さ方向の移動は可能であるが、戸パネル側部材ａ１がぐらぐらしないように保持するためのものである。
【００４１】
したがって、このガイド凹部４０も上述したガイド凸部１８と同様に、その形成方向は、戸パネル側部材ａ１の取り付け状態におけるネジ係合長孔ｈの長軸方向に合わせて凹畝状に形成される。前記長孔２６もこの意味から同様にネジ係合長孔ｈの長軸方向に合わせて凹畝状に形成される。そして突起Ｔもネジ係合長孔ｈの長軸方向に合わせて凸畝状に形成され、当該取付具１０Ａを用いて戸パネルＤの表面に戸パネル側部材ａ１を取り付ける際に、戸パネル側部材ａ１の高さ方向の取付位置を調整することができると共に、固定部１６に戸パネル側部材ａ１を固定した後は、戸パネル側部材ａ１のぐらぐらを阻止することができる。なお、突起Ｔは単なる係合の場合は、凸畝状でなく単なる突起状のものでもよい。
【符号の説明】
【００４２】
１０…取付具
１２…表面プレート
１４…端面プレート
１６…固定部
１６ａ…雌ネジ孔
１６ｂ…雄ネジ
１８…ガイド凸部
２０…ネジ
２２…ネジ挿通孔
２４…凹溝
２６…長孔
２８…ネジ
３０…ネジ挿通孔
３２…ナット
３４…背面プレート
３６…ネジ
３８…固定用プレート
４０…ガイド凹部
Ｏ…開口部
Ｗ…枠体
Ｄ…戸パネル
Ａ…開き戸付属装置
Ａ１…開き戸ダンパー
Ａ２…マグネット式ドアストッパー
ａ…戸パネル側部材
ａ１…(開き戸ダンパーの)戸パネル側部材
ａ２…(マグネット式ドアストッパーの)戸パネル側部材
ｋ…取付基部
ｔ…突出部
Ｔ…戸パネル側部材背面の突起
【図１】
2010281074.tif 000003
【図２】
2010281074.tif 000004
【図３】
2010281074.tif 000005
【図４】
2010281074.tif 000006
【図５】
2010281074.tif 000007
【図６】
2010281074.tif 000008
【図７】
2010281074.tif 000009
【手続補正書】
【提出日】平成21年6月9日(2009.6.9)
【手続補正１】
【補正対象書類名】明細書
【補正対象項目名】０００８
【補正方法】変更
【補正の内容】
【０００８】
【特許文献１】特開２００３−３２８６２９号公報